(57)【要約】【課題】少ない種類の部材により様々なバリエーションのブロックを形成することができ、これらのブロックの組み合わせにより、多様な構造体の製造を可能とする新規なブロック部材セットを提供すること。【解決手段】底面が開放された箱状ブロック本体１２、平板状ジョイント部材１４、及び箱状ジョイント部材１６をそれぞれ複数備え、箱状ブロック本体１２の上面に載置される平板状ジョイント部材１４と、箱状ブロック本体１２に収容される箱状ジョイント部材１６とが、箱状ブロック本体１２に形成された挿通孔１８を介して、棒状接続部材２６により接続されることにより一体化されてブロック１０となるブロック部材セットである。【選択図】図１
2020137613.tif 000002
【特許請求の範囲】
【請求項１】
底面が開放された箱状ブロック本体、平板状ジョイント部材、及び箱状ジョイント部材をそれぞれ複数備え、
前記箱状ブロック本体の上面に載置される平板状ジョイント部材と、前記箱状ブロック本体に収容される箱状ジョイント部材とが、前記箱状ブロック本体に形成された挿通孔を介して、棒状接続部材により接続されることにより一体化されてブロックとなるブロック部材セットであって、
前記平板状ジョイント部材の少なくとも１つが、その上面に凸部を有する平板状ジョイント凸部材であり、
前記箱状ジョイント部材の少なくとも１つが、底面が開放され、その内部に前記平板状ジョイント凸部材の凸部と嵌合する凹部を有する箱状ジョイント凹部材である、
ことを特徴とするブロック部材セット。
【請求項２】
棒状接続部材が、平板状ジョイント部材の下面に取り付けられており、該棒状接続部材が、箱状ジョイント部材の嵌通孔に嵌通されて固定されることで一体化されたブロックとなることを特徴とする請求項１記載のブロック部材セット。
【請求項３】
棒状接続部材が、平板状ジョイント部材の下面に２つ設けられていることを特徴とする請求項２記載のブロック部材セット。
【請求項４】
棒状接続部材が、平板状ジョイント部材の下面の隅に１つ設けられていることを特徴とする請求項２記載のブロック部材セット。
【請求項５】
箱状ブロック本体の挿通孔及び箱状ジョイント部材の嵌通孔が、箱状ブロック本体及び箱状ジョイント部材の上板の隅にそれぞれ２つ以上形成されていることを特徴とする請求項４記載のブロック部材セット。
【請求項６】
平板状ジョイント部材が、平板状ジョイント凸部材に加えて、その上面が平らな平板状ジョイント平面部材を具備することを特徴とする請求項１〜５のいずれか記載のブロック部材セット。
【請求項７】
箱状ジョイント部材が、箱状ジョイント凹部材に加えて、その下面が平らな箱状ジョイント平面部材を具備することを特徴とする請求項１〜６のいずれか記載のブロック部材セット。
【請求項８】
箱状ブロック本体の上面に、平板状ジョイント部材の平板部を収容する収容凹部が形成されていることを特徴とする請求項１〜７のいずれか記載のブロック部材セット。
【請求項９】
箱状ブロック本体及び箱状ジョイント部材は、当該ブロックを他のブロックの上部に積み重ねて組み合わせる際、他のブロックの上面の平板状ジョイント部材をその内部に収容できる形状であることを特徴とする請求項１〜８のいずれか記載のブロック部材セット。
【請求項１０】
箱状ブロック本体が、木材からなることを特徴とする請求項１〜９のいずれか記載のブロック部材セット。
【請求項１１】
平板状ジョイント部材及び箱状ジョイント部材が、合成樹脂からなることを特徴とする請求項１〜１０のいずれか記載のブロック部材セット。
【請求項１２】
底面が開放された箱状ブロック本体、平板状ジョイント部材、及び箱状ジョイント部材を備え、
前記箱状ブロック本体の上面に載置される平板状ジョイント部材と、前記箱状ブロック本体に収容される箱状ジョイント部材とが、前記箱状ブロック本体に形成された挿通孔を介して、棒状接続部材により接続されて一体化されたブロック。
【発明の詳細な説明】
【技術分野】
【０００１】
本発明は、複数のブロック部材を一体化させて１つのブロックとし、かかる一体化されたブロックを組み立てて多様な構造体を作製することが可能なブロック部材セットに関する。
【背景技術】
【０００２】
現在、間伐材や製材後の余った端材の多くは、焼却処分されている。この間伐材や端材をバイオマス発電等に利用する動きもあるが、昨今の地球温暖化の原因であるＣＯ２を削減するためには、炭素を空気中に放出してしまうのではなく、個体のまま固定しておくことが重要であり、木は木のままで利用し続けることが望ましい。
【０００３】
一方、従来より、複数のブロック同士を組み合わせることにより、多様な構造体を作製する（組み立てる）ブロックがよく知られている。このようなブロックとしては、例えば、上面に凸部を有し、内部に凸部に対応する凹部を有する底面が開放されたブロックが知られている。このようなブロックに関して、様々な素材を用いたものが提案されており、合成樹脂を用いたブロック（特許文献１参照）の他、木材を用いたブロック（特許文献２参照）も提案されている。
【先行技術文献】
【特許文献】
【０００４】
【特許文献１】特開平０８−０７１２５８号公報
【特許文献２】特開２０１６−１６８３４８号公報
【発明の概要】
【発明が解決しようとする課題】
【０００５】
上記のような従来のブロックにおいては、通常、ブロックセットの標準的なブロックの大きさに応じて（比例して）ブロックの凸部及び凹部の大きさ、数等が決定されており、この凸部及び凹部の形状を考慮してブロックが製造されるため、１つのブロックセットにおいて標準的なブロックの大きさと大幅に大きさの異なるブロックは通常含まれない。また、仮に大きさや形状の異なる複数種のブロックを製造するにしても、凸部及び凹部を精密に成形する高価な金型が必要となる等の理由から、ブロックのバリエーションが制限されるのが現状である。
【０００６】
また、従来のブロックは、通常、凸部及び凹部を有しているため、複数のブロック同士を組み合わせた構造体の最外面に凸部及び凹部が露出することになり、美観を損なうという問題がある。これを解決するために、凸部又は凹部の一方のみを有するブロックを新たに製造することも一部行われているが、上記同様、バリエーションは極めて制限されたものとなる。
【０００７】
したがって、ブロックセットのブロックを用いて製造できる構造体のバリエーションは、限られたものとなっていた。
【０００８】
本発明の課題は、少ない種類の部材により様々なバリエーションのブロックを形成することができ、これらのブロックの組み合わせにより、多様な構造体の製造を可能とする新規なブロック部材セットを提供することにある。また、複数のブロック同士を組み合わせて構造体を作製する際に、最外面に凸部及び凹部が露出しない構造体とすることが可能なブロック部材セットを提供することにある。
【課題を解決するための手段】
【０００９】
本発明者は、上記課題を解決すべく鋭意研究した結果、ブロック本体と、凸部と、凹部とをそれぞれ別の部材とし、各部材を一体化して１つのブロックを形成することにより、上記課題を解決できることを見いだし、本発明を完成するに至った。
【００１０】
すなわち、本発明は、以下の通りである。
［１］底面が開放された箱状ブロック本体、平板状ジョイント部材、及び箱状ジョイント部材をそれぞれ複数備え、
前記箱状ブロック本体の上面に載置される平板状ジョイント部材と、前記箱状ブロック本体に収容される箱状ジョイント部材とが、前記箱状ブロック本体に形成された挿通孔を介して、棒状接続部材により接続されることにより一体化されてブロックとなるブロック部材セットであって、
前記平板状ジョイント部材の少なくとも１つが、その上面に凸部を有する平板状ジョイント凸部材であり、
前記箱状ジョイント部材の少なくとも１つが、底面が開放され、その内部に前記平板状ジョイント凸部材の凸部と嵌合する凹部を有する箱状ジョイント凹部材である、
ことを特徴とするブロック部材セット。
［２］棒状接続部材が、平板状ジョイント部材の下面に取り付けられており、該棒状接続部材が、箱状ジョイント部材の嵌通孔に嵌通されて固定されることで一体化されたブロックとなることを特徴とする上記［１］記載のブロック部材セット。
［３］棒状接続部材が、平板状ジョイント部材の下面に２つ設けられていることを特徴とする上記［２］記載のブロック部材セット。
［４］棒状接続部材が、平板状ジョイント部材の下面の隅に１つ設けられていることを特徴とする上記［２］記載のブロック部材セット。
［５］箱状ブロック本体の挿通孔及び箱状ジョイント部材の嵌通孔が、箱状ブロック本体及び箱状ジョイント部材の上板の隅にそれぞれ２つ以上形成されていることを特徴とする上記［４］記載のブロック部材セット。
【００１１】
［６］平板状ジョイント部材が、平板状ジョイント凸部材に加えて、その上面が平らな平板状ジョイント平面部材を具備することを特徴とする上記［１］〜［５］のいずれか記載のブロック部材セット。
［７］箱状ジョイント部材が、箱状ジョイント凹部材に加えて、その下面が平らな箱状ジョイント平面部材を具備することを特徴とする上記［１］〜［６］のいずれか記載のブロック部材セット。
［８］箱状ブロック本体の上面に、平板状ジョイント部材の平板部を収容する収容凹部が形成されていることを特徴とする上記［１］〜［７］のいずれか記載のブロック部材セット。
［９］箱状ブロック本体及び箱状ジョイント部材は、当該ブロックを他のブロックの上部に積み重ねて組み合わせる際、他のブロックの上面の平板状ジョイント部材をその内部に収容できる形状であることを特徴とする上記［１］〜［８］のいずれか記載のブロック部材セット。
［１０］箱状ブロック本体が、木材からなることを特徴とする上記［１］〜［９］のいずれか記載のブロック部材セット。
［１１］平板状ジョイント部材及び箱状ジョイント部材が、合成樹脂からなることを特徴とする上記［１］〜［１０］のいずれか記載のブロック部材セット。
［１２］底面が開放された箱状ブロック本体、平板状ジョイント部材、及び箱状ジョイント部材を備え、
前記箱状ブロック本体の上面に載置される平板状ジョイント部材と、前記箱状ブロック本体に収容される箱状ジョイント部材とが、前記箱状ブロック本体に形成された挿通孔を介して、棒状接続部材により接続されて一体化されたブロック。
【発明の効果】
【００１２】
本発明のブロック部材セットは、少ない種類の部材により様々なバリエーションのブロックを形成することができ、これらのブロックの組み合わせにより、多様な構造体の製造をすることができる。また、複数のブロック同士を組み合わせて構造体を作製する際に、最外面に凸部及び凹部が露出しない構造体とすることができる。
【図面の簡単な説明】
【００１３】
【図１】本発明の第１の実施形態に係るブロック部材セットのブロック部材（一体化してブロックとする前の状態）の斜視図である。
【図２】第１の実施形態に係るブロック部材セットのブロック部材を一体化してブロックとした後の状態を示す説明図であり、（ａ）は上方斜視図であり、（ｂ）は下方斜視図である。
【図３】第１の実施形態に係るブロック部材セットの箱状ブロック本体の説明図であり、（ａ）は上方斜視図であり、（ｂ）は下方斜視図である。
【図４】第１の実施形態に係るブロック部材セットの平板状ジョイント凸部材の説明図であり、（ａ）は上方斜視図であり、（ｂ）は下方斜視図である。
【図５】第１の実施形態に係るブロック部材セットの箱状ジョイント凹部材の説明図であり、（ａ）は上方斜視図であり、（ｂ）は下方斜視図である。
【図６】第１の実施形態に係るブロック部材セットの平板状ジョイント平面部材の説明図であり、（ａ）は上方斜視図であり、（ｂ）は側面図であり、（ｃ）は箱状ブロック本体及び箱状ジョイント部材と共に一体化した後のブロックの上方斜視図である。
【図７】第１の実施形態に係るブロック部材セットの箱状ジョイント平面部材の説明図であり、（ａ）は上方斜視図であり、（ｂ）は下方斜視図であり、（ｃ）は平板状ジョイント部材及び箱状ブロック本体と共に一体化した後のブロックの下方斜視図である。
【図８】本発明の第２の実施形態に係るブロック部材セットのブロック部材（一体化してブロックとする前の状態）の斜視図であり、棒状接続部材が平板状ジョイント部材の隅に１つ設けられた実施形態の説明図である。
【図９】第２の実施形態に係るブロック部材セットのブロックを用いた組立てを説明する説明図であり、（ａ）はブロック部材を一体化した１つのブロックの上方斜視図であり、（ｂ）は２つのブロックを組み合わせた後の上方斜視図である。
【図１０】図９におけるブロック部材セットのブロック同士の角度を変えた組立てを説明する説明図であり、（ａ）はブロック部材を一体化した１つのブロックの上方斜視図であり、（ｂ）は２つのブロックを組み合わせた後の上方斜視図である。
【図１１】第２の実施形態に係るブロック部材セットの平板状ジョイント部材の凸部の数を変更したブロックの説明図である。
【図１２】第２の実施形態に係るブロック部材セットのブロック同士を組み合わせる場合の説明図であり、（ａ）及び（ｂ）は組み合わせる前の各ブロックの斜視図であり、（ｃ）は（ａ）及び（ｂ）で示されるブロックを組み合わせた後の状態を説明する図である。
【図１３】本発明のブロック部材セットのブロック同士の組み合わせ例を示す説明図である。
【図１４】本発明のブロック部材セットの使用例を示す説明図であり、（ａ）（ｂ）は大きさの異なるブロックを構成するブロック部材の斜視図であり、（ｃ）は大きさの異なるブロックを組み合わせた後の構造体の斜視図である。
【図１５】本発明のブロック部材セットのその他の使用例を示す説明図であり、（ａ）（ｂ）は大きさの異なるブロックを構成するブロック部材の斜視図であり、（ｃ）は大きさの異なるブロックを組み合わせた後の構造体の斜視図である。
【発明を実施するための形態】
【００１４】
本発明のブロック部材セットは、底面が開放された箱状ブロック本体、平板状ジョイント部材、及び箱状ジョイント部材をそれぞれ複数備え、箱状ブロック本体の上面に載置される平板状ジョイント部材と、箱状ブロック本体に収容される箱状ジョイント部材とが、箱状ブロック本体に形成された挿通孔を介して、棒状接続部材により接続されることにより一体化されてブロックとなるブロック部材セットであって、平板状ジョイント部材の少なくとも１つが、その上面に凸部を有する平板状ジョイント凸部材であり、箱状ジョイント部材の少なくとも１つが、底面が開放され、その内部に平板状ジョイント凸部材の凸部と嵌合する凹部を有する箱状ジョイント凹部材であることを特徴とする。
【００１５】
本発明のブロック部材セットは、箱状ブロック本体、平板状ジョイント部材、及び箱状ジョイント部材を組み合わせて一体化させることにより、様々な形状のブロックを作製することができる。例えば、大きさや形状の異なる複数種の箱状ブロック本体、１種の平板状ジョイント部材、及び１種の箱状ジョイント部材を用いて様々な形状のブロックを作製することができる。このような様々な形状のブロックを用いることにより、多様な構造体を作製することができる。平板状ジョイント部材及び箱状ジョイント部材を特定の形状とすることにより、この構造体は、最外面に凸部凹部が露出しないものとなる。
【００１６】
このような本発明のブロック部材セットは、組立式のブロック玩具や、ペン立て、筆箱等の文房具や、置物等のインテリア用品として用いることができる。また、比較的大きな箱状ブロック本体を含むブロック部材セットは、植木鉢、プランター、花壇等の園芸用品の作製や、棚等の家具の作製用として用いることもできる。
【００１７】
まず、本発明のブロック部材セットにおける箱状ブロック本体について説明する。
箱状ブロック本体は、底面が開放され、上面及び側面により内部空間を形成する箱体である。箱状ブロック本体の形状としては、底面が開放された箱体であれば特に制限されるものではなく、例えば、直方体、立方体、円柱体、角柱体等を挙げることができる。なお、通常、箱状ブロック本体の外形（形状）が、ブロックの外形となる。すなわち、この箱状ブロック本体の外形を変更することにより、ブロックの形状を変更することができる。
【００１８】
箱状ブロック本体は、箱状ジョイント部材を収容するものであり、箱状ジョイント部材よりも大きな幅や高さを有する大きさであることが好ましい。その大きさは、用途によって適宜設定することができる。例えば、組立式のブロック玩具等の比較的小さな用途に用いる場合には、幅５〜５００ｍｍ、高さ５〜５００ｍｍであることが好ましく、幅１０〜３００ｍｍ、高さ１０〜３００ｍｍであることがより好ましく、幅１０〜１００ｍｍ、高さ１０〜１００ｍｍであることがさらに好ましい。また、園芸用品や家具の作製等の比較的大きな用途に用いる場合は、幅５０〜３０００ｍｍ、高さ５０〜３０００ｍｍであることが好ましく、幅１００〜２０００ｍｍ、高さ１００〜２０００ｍｍであることがより好ましく、幅１００〜１０００ｍｍ、高さ１００〜１０００ｍｍであることがさらに好ましい。なお、本発明における箱状ブロック本体の幅とは、より長い方の幅をいう。すなわち、例えば、長方形の場合の幅は長い辺の長さをいい、楕円形の場合は長径の長さをいう。
【００１９】
箱状ブロック本体は、成形が容易な材料からなるものが好ましく、例えば、木材、合成樹脂、金属等の材料を挙げることができ、資源の有効活用の点から、木材が好ましく、間伐材又は端材がより好ましい。本発明で用いる木材としては、その種類は問わず、例えば広葉樹であっても針葉樹であってもよい。具体的には、スギ、ヒノキ、ヒバ、カラマツ、アカマツ、クロマツ、エゾマツ、トドマツ等を挙げることができる。本発明の箱状ブロック本体は、凸部及び凹部を有しておらず、従来の凸部及び凹部を有する木製のブロックに比して加工の精度が要求されないため、硬度のある広葉樹等や圧縮硬化した木材のみならず、柔らかなスギ等の針葉樹も用いることができる。
【００２０】
また、従来のすべて木材からなるブロックは、大型化するに連れて乾燥による収縮等により精密さを担保するのが困難であり、特に凸部及び凹部の成形が困難であったが、本発明の箱状ブロック本体は単純な構造のため、容易に製造することができる。
【００２１】
箱状ブロック本体は、その上面に載置される平板状ジョイント部材と、箱状ブロック本体に収容される箱状ジョイント部材とを接続するための棒状接続部材が挿通される挿通孔を有している。挿通孔は、通常、箱状ブロック本体の上板に貫通形成され、棒状接続部材の数以上設けられていればよい。例えば、棒状接続部材が、平板状ジョイント部材の下面の隅に１つ設けられている場合、箱状ブロック本体の挿通孔は、箱状ブロック本体の上板の対応する位置（隅）に１つ形成されていてもよいが、箱状ブロック本体の上板の隅に２つ以上設けられていてもよい。例えば、平面視して長方形の箱状ブロック本体の場合、長辺方向又は対角方向に間隔をあけて２つの隅に挿通孔を形成することができる。これにより、箱状ブロック本体の上に、挿通孔に対応する数の別々の平板状ジョイント部材を取り付けることができ、複数のブロックを同時に積み重ねることができる。なお、この場合、箱状ジョイント部材には、挿通孔に対応する位置に嵌通孔が形成されている。
【００２２】
箱状ブロック本体は、その上面が平らな平面に形成されていてもよいが、その上面に、平板状ジョイント部材の平板部を収容する収容凹部が形成されていることが好ましい。これにより、平板状ジョイント部材の平板部を箱状ブロック本体の上面に載置した際、平板状ジョイント部材の平板部が収容凹部に収容され、ブロック上面を段差のない平面とすることができる。
【００２３】
また、箱状ブロック本体及び箱状ジョイント部材は、当該ブロックを他のブロックの上部に積み重ねて組み合わせる際、他のブロックの上面の平板状ジョイント部材をその内部に収容できる形状であることが好ましい。すなわち、箱状ブロック本体の下端周縁（開放面の周縁を形成する部分）が、他のブロックの上面に接触して隙間なく載置される形状であることが好ましい。これにより、外見上、ブロックと他のブロックとの隙間から平板状ジョイント部材が露出することがなく、美観に優れたものとなる。また、箱状ブロック本体の上面に上記のような収容凹部を設ける必要がない。
【００２４】
次に、本発明の平板状ジョイント部材について説明する。
平板状ジョイント部材は、箱状ブロック本体の上面に載置することが可能な平板状の平板部を具備している。
【００２５】
平板状ジョイント部材は、成形が容易で変形し難い強固な材料からなるものであれば特に制限されるものではなく、例えば、木材、合成樹脂、金属等の材料を挙げることができ、成形の容易さや耐久性に優れる点から、合成樹脂や金属が好ましく、安価な点から合成樹脂がより好ましい。合成樹脂としては、例えば、ＡＢＳ樹脂、スチロール樹脂、ポリエチレン樹脂、ポリプロピレン樹脂を挙げることができる。金属としては、例えば、ステンレス鋼を挙げることができる。
【００２６】
従来の木製のブロックは、すべて木材からなるため、乾燥による収縮や割れが生じないよう凸部の加工が特に困難であったが、本発明の平板状ジョイント部材を合成樹脂や金属で製造することにより、容易に加工することが可能となる。また、合成樹脂や金属からなることにより、摩耗や変形が生じることなく長期間使用できる。
【００２７】
本発明のブロック部材セットにおける平板状ジョイント部材の少なくとも１つは、その上面に凸部を有する平板状ジョイント凸部材である。凸部としては、箱状ジョイント部材の凹部に嵌合可能に形成されたものであれば特に制限はなく、例えば、円柱状、角柱状等の部材を挙げることができる。また、凸部の数としては、特に制限されるものではなく、大きさや用途によって適宜設定することができ、例えば、２〜１２個である。
【００２８】
本発明のブロック部材セットにおいては、平板状ジョイント部材の全てが上記のような平板状ジョイント凸部材であってもよいが、平板状ジョイント凸部材に加えて、その上面に凸部を有しない平板状ジョイント平面部材を具備することが好ましい。本発明の平板状ジョイント平面部材としては、例えば、上面が平らな平面状に形成されたものを挙げることができる（図６参照）。この平板状ジョイント平面部材が、ブロックを組み合わせて作製された構造体の外表面に配置されることにより、ブロックで作製されたことが一見して認識されない美観に優れたデザインの構造体とすることができる。
【００２９】
次に、本発明の箱状ジョイント部材について説明する。
箱状ジョイント部材は、箱状ブロック本体に収容することが可能な箱状の部材である。
【００３０】
箱状ジョイント部材は、成形が容易で変形し難い強固な材料からなるものであれば特に制限されるものではなく、例えば、木材、合成樹脂、金属等の材料を挙げることができ、成形の容易さや耐久性に優れる点から、合成樹脂や金属が好ましく、安価な点から合成樹脂がより好ましい。合成樹脂としては、例えば、ＡＢＳ樹脂、スチロール樹脂、ポリエチレン樹脂、ポリプロピレン樹脂を挙げることができる。金属としては、例えば、ステンレス鋼を挙げることができる。
【００３１】
従来の木製のブロックは、すべて木材からなるため、乾燥による収縮や割れが生じないよう凹部の加工が特に困難であったが、本発明の箱状ジョイント部材を合成樹脂や金属で製造することにより、容易に加工することが可能となる。また、合成樹脂や金属からなることにより、摩耗や変形が生じることなく長期間使用できる。
【００３２】
本発明のブロック部材セットにおける箱状ジョイント部材の少なくとも１つは、底面が開放され、その内部に平板状ジョイント凸部材の凸部と嵌合する凹部を有する箱状ジョイント凹部材である。凹部としては、平板状ジョイント凸部材の凸部が嵌合可能に形成されたものであれば特に制限はなく、例えば、凸部の横断面形状に対応した開口又は凹部や、箱状ジョイント凹部材の内部に設けた仕切部と側面との間に形成された凸部の横断面形状に対応した内部空間を挙げることができる。具体的に、箱状ジョイント凹部材としては、その内部に複数設けられた円筒状の仕切部の外周面と、その内部内側面との間に形成された内部空間を挙げることができる。
【００３３】
また、本発明のブロック部材セットにおいては、箱状ジョイント部材の全てが上記のような箱状ジョイント凹部材であってもよいが、箱状ジョイント凹部材に加えて、その下面が平らな箱状ジョイント平面部材を具備することが好ましい。本発明の箱状ジョイント平面部材としては、例えば、底面が開放されておらず、底面が平らな平面状に形成されたものを挙げることができる（図７参照）。この箱状ジョイント平面部材が、ブロックを組み合わせて作製された構造体の外表面に配置されることにより、ブロックで作製されたことが一見して認識されない美観に優れたデザインの構造体とすることができる。
【００３４】
次に、本発明の棒状接続部材について説明する。
棒状接続部材は、箱状ブロック本体の上面に載置される平板状ジョイント部材と、箱状ブロック本体に収容される箱状ジョイント部材とを、箱状ブロック本体に形成された挿通孔を介して接続するための部材である。この棒状接続部材は、平板状ジョイント部材又は箱状ジョイント部材に取り付けられて一体となったものであっても、別部材であってもよいが、部材点数を少なくできる点から、平板状ジョイント部材又は箱状ジョイント部材に取り付けられて一体となったものが好ましい。棒状接続部材の断面形状としては、特に制限されるものではなく、丸状、矩形状、弧状、多角形状等種々の形状とすることができる。
【００３５】
本発明の棒状接続部材が平板状ジョイント部材又は箱状ジョイント部材に一体に設けられる態様としては、例えば、棒状接続部材が平板状ジョイント部材の下面に取り付けられる態様や、箱状ジョイント部材の上面に取り付けられる態様を挙げることができる。前者の場合、例えば、棒状接続部材を箱状ジョイント部材の上板に形成された嵌通孔に嵌通させることにより、平板状ジョイント部材及び箱状ジョイント部材を接続することができる。後者の場合、例えば、棒状接続部材を平板状ジョイント部材の平板部下面に形成された嵌合凹部に嵌合させることにより、平板状ジョイント部材及び箱状ジョイント部材を接続することができる。平板状ジョイント部材及び箱状ジョイント部材をより強固に接続できる点からは、前者の態様が好ましい。すなわち、ある程度の長さの棒状接続部材が嵌通孔に挿入された状態であるため、平板状ジョイント部材及び箱状ジョイント部材の接続が解除されにくい（棒状接続部材が抜けにくい）。
【００３６】
本発明の棒状接続部材が別部材の場合、例えば、棒状接続部材は、その一端を、平板状ジョイント部材に形成された嵌合凹部に嵌合すると共に、他端を、箱状ジョイント部材に形成された嵌通孔に嵌通することにより、平板状ジョイント部材及び箱状ジョイント部材を接続することができる。
【００３７】
本発明の棒状接続部材による平板状ジョイント部材及び箱状ジョイント部材を接続する力（接続力）は、平板状ジョイント部材の凸部及び箱状ジョイント部材の凹部が嵌合する力（嵌合力）よりも強いものが好ましい。すなわち、棒状接続部材と、平板状ジョイント部材及び／又は箱状ジョイント部材の嵌通孔等との間に生じる摩擦力が、平板状ジョイント部材の凸部及び箱状ジョイント部材の凹部との間に生じる摩擦力よりも大きいことが好ましい。これにより、ブロック同士を外す際に、ブロックの部材（箱状ブロック本体、平板状ジョイント部材、及び箱状ジョイント部材）が分離することなく、ブロック同士を容易に外すことができる。
【００３８】
棒状接続部材の数としては、特に制限されるものではなく、大きさや用途によって適宜設定することができ、１つ設けられていてもよく、複数設けられていてもよい。また、棒状接続部材の配置場所としては、特に制限されるものではなく、平板状ジョイント部材の下面の中央、隅等に配置することができる。
【００３９】
具体的には、例えば、棒状接続部材が平板状ジョイント部材の下面に２つ設けられる態様や、棒状接続部材が平板状ジョイント部材の下面の隅に１つ設けられる態様を挙げることができる。前者の場合、箱状ブロック本体、平板状ジョイント部材、及び箱状ジョイント部材の各部材を強固に一体化することができる。また、後者の場合、棒状接続部材を軸にして、平板状ジョイント部材を水平方向に回動することができることから、ブロックの上に別のブロックを積み重ねる際、ブロックの方向を自由に変えて積み重ねることが可能となる（図９及び図１０参照）。また、収容凹部を有していない上面が平らな箱状ブロック本体を用いた場合、平板状ジョイント部材が水平方向に回転することにより露出する箱状ブロック本体の上面には挿通孔や収容部が形成されていないため、美観に優れたものとなる。
【００４０】
以下、図面を用いて本発明のブロック部材セットの実施形態を具体的に説明するが、本発明はこれらの実施形態に制限されるものではない。
【００４１】
ここで、図１は、本発明の第１の実施形態に係るブロック部材セットのブロック部材（一体化してブロックとする前の状態）の斜視図である。図２は、第１の実施形態に係るブロック部材セットのブロック部材を一体化してブロックとした後の状態を示す説明図であり、（ａ）は上方斜視図であり、（ｂ）は下方斜視図である。図３は、第１の実施形態に係るブロック部材セットの箱状ブロック本体の説明図であり、（ａ）は上方斜視図であり、（ｂ）は下方斜視図である。図４は、第１の実施形態に係るブロック部材セットの平板状ジョイント凸部材の説明図であり、（ａ）は上方斜視図であり、（ｂ）は下方斜視図である。図５は、第１の実施形態に係るブロック部材セットの箱状ジョイント凹部材の説明図であり、（ａ）は上方斜視図であり、（ｂ）は下方斜視図である。図６は、第１の実施形態に係るブロック部材セットの平板状ジョイント平面部材の説明図であり、（ａ）は上方斜視図であり、（ｂ）は側面図であり、（ｃ）は箱状ブロック本体及び箱状ジョイント部材と共に一体化した後のブロックの上方斜視図である。図７は、第１の実施形態に係るブロック部材セットの箱状ジョイント平面部材の説明図であり、（ａ）は上方斜視図であり、（ｂ）は下方斜視図であり、（ｃ）は平板状ジョイント部材及び箱状ブロック本体と共に一体化した後のブロックの下方斜視図である。
【００４２】
本発明の第１の実施形態に係るブロック部材セットは、図１に示すような、木製の箱状ブロック本体１２、合成樹脂製の平板状ジョイント凸部材１４、及び合成樹脂製の箱状ジョイント凹部材１６を備えている。
【００４３】
図２に示すように、第１の実施形態に係るブロック部材セットのブロック部材により組み立てられるブロック１０は、箱状ブロック本体１２と、平板状ジョイント凸部材１４と、箱状ジョイント凹部材１６とを一体化して構成される。
【００４４】
図３に示すように、箱状ブロック本体１２は、例えば、縦５０ｍｍ程度、横１００ｍｍ程度、高さ３０ｍｍ程度の底面が開放された木製の箱体である。箱状ブロック本体１２の上板には、後述する平板状ジョイント凸部材１４の接続棒２６（図４参照）を挿通する２つの挿通孔１８が形成されている。また、箱状ブロック本体１２の上面には、後述する平板状ジョイント凸部材１４の平板部２０（図４参照）と同程度の大きさの収容凹部２２が形成されており、箱状ブロック本体１２と平板状ジョイント凸部材１４を組み合わせた際に、上面を段差のない平面とすることができる（図２（ａ）参照）。
【００４５】
図４に示すように、平板状ジョイント凸部材１４は、縦４６ｍｍ程度、横９６ｍｍ程度、厚さ３ｍｍ程度の平板部２０を有している。また、平板状ジョイント凸部材１４の上部には、縦２、横４の計８つの円柱状の円柱凸部２４が設けられている。さらに、平板状ジョイント凸部材１４の下面の中央には、２本の円柱状の接続棒２６が取り付けられている。この接続棒２６は、箱状ブロック本体１２の挿通孔１８に対応して配置されている。
【００４６】
図５に示すように、箱状ジョイント凹部材１６は、縦４５ｍｍ程度、横９５ｍｍ程度、高さ２５ｍｍ程度の底面が開放された箱体である。箱状ジョイント凹部材１６の上板には、平板状ジョイント凸部材１４の接続棒２６を嵌通する２つの嵌通孔２８が形成されている。この嵌通孔２８に、平板状ジョイント凸部材１４の接続棒２６が、箱状ブロック本体の挿通孔１８を介して嵌通されることにより、箱状ブロック本体１２、平板状ジョイント凸部材１４、及び箱状ジョイント凹部材１６が一体化される。
【００４７】
また、箱状ジョイント凹部材１６の内部には、仕切部としての２つの円筒状の円筒仕切部３０が設けられており、円筒仕切部３０の外周面と箱状ジョイント凹部材１６の内部側面の間に、凹部空間（内部空間）３２が形成されている。この凹部空間３２は、円柱凸部２４が嵌合可能な形状に形成されており、ブロック１０同士を組み合わせる際に、一方のブロック１０の凹部空間３２に、他方のブロック１０の平板状ジョイント凸部材１４の円柱凸部２４が嵌合される。なお、円筒仕切部３０の内部空洞は嵌通孔２８と連通しており、円筒仕切部３０内に接続棒２６が収納される。
【００４８】
また、図６に示すように、第１の実施形態に係るブロック部材セットにおける平板状ジョイント部材は、平板状ジョイント凸部材１４に加えて、その上面に凸部（円柱凸部）を有していない平らな平板状ジョイント平面部材３４を具備している。
【００４９】
平板状ジョイント平面部材３４は、上面に円柱凸部２４を有しておらず、上面が平らな平面である点以外については、平板状ジョイント凸部材１４と同様の構成である。平板状ジョイント平面部材３４は、上面が平らな平面であるため、外表面に凸部が現れないブロック３６とすることができ（図６（ｃ））、ブロック１０を組み合わせて作製された構造体の外表面にブロック３６（平板状ジョイント平面部材３４）が配置されることにより、美観に優れた構造体とすることができる。
【００５０】
また、図７に示すように、第１の実施形態に係るブロック部材セットにおける箱状ジョイント部材は、箱状ジョイント凹部材１６に加えて、その下面が平らな箱状ジョイント平面部材３８を具備している。
【００５１】
箱状ジョイント平面部材３８は、凹部空間３２が外表面に露出しておらず、下面が平らな平面である点以外については、箱状ジョイント凹部材１６と同様の構成である。箱状ジョイント平面部材３８は、下面が平らな平面であるため、外表面に凹部が現れないブロック４０とすることができ（図７（ｃ））、ブロック１０を組み合わせて作製された構造体の外表面にブロック４０（箱状ジョイント平面部材３８）が配置されることにより、美観に優れた構造体とすることができる。
【００５２】
続いて、本発明の第２の実施形態に係るブロック部材セットのブロック４２について説明する。ここで、図８は、本発明の第２の実施形態に係るブロック部材セットのブロック部材（一体化してブロックとする前の状態）の斜視図であり、棒状接続部材が平板状ジョイント部材の隅に１つ設けられた実施形態の説明図である。図９は、第２の実施形態に係るブロック部材セットのブロックを用いた組立てを説明する説明図であり、（ａ）はブロック部材を一体化した１つのブロックの上方斜視図であり、（ｂ）は２つのブロックを組み合わせた後の上方斜視図である。図１０は、図９におけるブロック部材セットのブロック同士の角度を変えた組立てを説明する説明図であり、（ａ）はブロック部材を一体化した１つのブロックの上方斜視図であり、（ｂ）は２つのブロックを組み合わせた後の上方斜視図である。図１１は、第２の実施形態に係るブロック部材セットの平板状ジョイント部材の凸部の数を変更したブロックの説明図である。図１２は、第２の実施形態に係るブロック部材セットのブロック同士を組み合わせる場合の説明図であり、（ａ）及び（ｂ）は組み合わせる前の各ブロックの斜視図であり、（ｃ）は（ａ）及び（ｂ）で示されるブロックを組み合わせた後の状態を説明する図である。図１３は、本発明のブロック部材セットのブロック同士の組み合わせ例を示す説明図である。
【００５３】
本実施形態のブロック４２は、平板状ジョイント部材の棒状接続部材が隅に１つ設けられると共に、これに対応して箱状ブロック本体及び箱状ジョイント部材に挿通孔及び嵌通孔が形成されている点、及び箱状ブロック本体が収容凹部２２を有していない点以外については、上述した一実施形態に係るブロック１０とほぼ同様の構成である。
【００５４】
図８に示すように、平板状ジョイント凸部材４４は、平板部の下面の隅に、１本の接続棒４６を具備している。また、箱状ブロック本体４８は、平板状ジョイント凸部材４４の接続棒４６に対応する位置に、挿通孔５０を１つ有している。さらに、箱状ジョイント凹部材５２は、平板状ジョイント凸部材４４の接続棒４６に対応する位置に、１つの嵌通孔５４を有している。図９（ａ）に示すように、平板状ジョイント凸部材４４と、箱状ブロック本体４８に収容された箱状ジョイント凹部材５２とが、接続棒４６により接続されることにより、一体化されてブロック４２となる。
【００５５】
図９及び図１０に示すように、ブロック４２においては、接続棒４６を軸にして、平板状ジョイント凸部材４４が水平方向に回動可能であるため、ブロック４２同士を組み合わせて構造体を作製する際に、自由に角度を変えて組み合わせることができる。また、回転することにより露出する箱状ブロック本体４８の上面は、挿通孔５０や収容凹部２２が形成されていない木目模様であると共に、平板状ジョイント凸部材４４の下面も平らであるため、美観に優れた構造体となる。
【００５６】
また、図１１に示すように、本実施形態におけるブロック４２における平板状ジョイント凸部材４４は、凸部（円柱凸部２４）の数を必要に応じて変更することができ、縦２、横１の合計２つの円柱凸部２４を有する平板状ジョイント凸部材４４ａや、縦１、横４の合計４つの円柱凸部２４を有する平板状ジョイント凸部材４４ｂや、縦２、横２の合計４つの円柱凸部２４を有する平板状ジョイント凸部材４４ｃ等、大きさや用途によって凸部（円柱凸部２４）の数を適宜設定することができる。これにより、不必要に凸部を露出させることなく、箱状ブロック本体４８の上面の平らな面を露出させることができ、箱状ブロック本体４８上面の木目模様を活かすことができる。
【００５７】
具体的に、例えば、図１２に示すように、内部半分に、円筒仕切部５６及び内部側面による凹部空間５８が形成され、残り半分は平面となった箱状ジョイント凹部材６０を用いたブロック６２（図１２（ａ））と、この凹部に対応した凸部を有する平板状ジョイント凸部４４ｃ及び下面が平らな箱状ジョイント平面部材６４を用いたブロック６６（図１２（ｂ））とを組み合わせることにより、凸部及び凹部の露出の少ない構造体６８（図１２（ｃ））とすることができる。なお、ブロック６２の箱状ジョイント凹部材６０の下端周縁７２は、ブロック４２の箱状ブロック本体４８の上面に設けられた平板状ジョイント凸部４４ｃの平板部７０を収納できるよう、箱状ブロック本体４８の高さに比べて低くなっている。これにより、ブロック同士を隙間なく積み重ねることができる。さらに、積み重ねた際に見えるブロック６２及びブロック６６の下面が平らであるため、ブロックで作製されたことが一見して認識されない美観に優れたデザインの構造体とすることができる。
また、図１３に示すように、本発明のブロック部材セットは、様々なブロック同士を組み合わせることができる。
【００５８】
続いて、本発明のブロック部材セットを用いたブロックの別の組み合わせ例を説明する。ここで、図１４は、本発明のブロック部材セットの使用例を示す説明図であり、（ａ）（ｂ）は大きさの異なるブロックを構成するブロック部材の斜視図であり、（ｃ）は大きさの異なるブロックを組み合わせた後の構造体の斜視図である。図１５は、本発明のブロック部材セットのその他の使用例を示す説明図であり、（ａ）（ｂ）は大きさの異なるブロックを構成するブロック部材の斜視図であり、（ｃ）は大きさの異なるブロックを組み合わせた後の構造体の斜視図である。
【００５９】
本実施形態では、図１４に示すように、箱状ブロック本体７４、平板状ジョイント凸部材７８、及び箱状ジョイント凹部材８２の計３つの部材を一体化させて構成されるブロック８６（図１４（ａ））と、箱状ブロック本体７４と同じ高さで幅（縦、横）の長い箱状ブロック本体７６、平板状ジョイント凸部材７８と同一形状の平板状ジョイント凸部材８０、及び箱状ジョイント凹部材８２と同一形状の箱状ジョイント凹部材８４の計３つの部材を一体化させて構成されるブロック８８（図１４（ｂ））との組み合わせ方法について説明する。
【００６０】
図１４に示すように、平板状ジョイント凸部材７８の接続棒９０が、箱状ブロック本体７４の上面の挿通孔９２を介して、箱状ジョイント凹部材８２の嵌通孔９４に嵌通されることにより、一体化されてブロック８６を構成する。また、平板状ジョイント凸部材８０の接続棒９６が、箱状ブロック本体７６の挿通孔９８を介して、箱状ジョイント凹部材８４の上面の嵌通孔１００に嵌通されることにより、一体化されてブロック８８を構成する。
【００６１】
そして、ブロック８８の平板状ジョイント凸部材８０の円柱凸部１０２を、ブロック８６の箱状ジョイント凹部材８２の内部の凹部空間（図示せず）に嵌合させることにより、構造体１０４が作製される（図１４（ｃ））。このように、本発明のブロック部材セットは、大きさの異なる箱状ブロック本体と、同一形状の平板状ジョイント凸部材や箱状ジョイント凹部材を用いて、様々な形状の構造体を作製することができる。同様に、図１５に示すように、本発明のブロック部材セットは、様々な形状の平板状ジョイント凸部材や箱状ジョイント凹部材を用いて、様々な形状の構造体を作製することができる。
【産業上の利用可能性】
【００６２】
本発明のブロック部材セットは、玩具の他、インテリア用品、園芸用品、家具等の作製に用いることができることから、産業上有用である。
【符号の説明】
【００６３】
１０    ブロック
１２    箱状ブロック本体
１４    平板状ジョイント凸部材
１６    箱状ジョイント凹部材
１８    挿通孔
２０    平板部
２２    収容凹部
２４    円柱凸部
２６    接続棒
２８    嵌通孔
３０    円筒仕切部
３２    凹部空間（内部空間）
３４    平板状ジョイント平面部材
３６    ブロック
３８    箱状ジョイント平面部材
４０    ブロック
４２    ブロック
４４    平板状ジョイント凸部材
４６    接続棒
４８    箱状ブロック本体
５０    挿通孔
５２    箱状ジョイント凹部材
５４    嵌通孔
５６    円筒仕切部
５８    凹部空間（内部空間）
６０    箱状ジョイント凹部材
６２    ブロック
６４    箱状ジョイント平面部材
６６    ブロック
６８    構造体
７０    平板部
７２    下端周縁
７４    箱状ブロック本体
７６    箱状ブロック本体
７８    平板状ジョイント凸部材
８０    平板状ジョイント凸部材
８２    箱状ジョイント凹部材
８４    箱状ジョイント凹部材
８６    ブロック
８８    ブロック
９０    接続棒
９２    挿通孔
９４    嵌通孔
９６    接続棒
９８    挿通孔
１００    嵌通孔
１０２    円柱凸部
１０４    構造体
【図１】
2020137613.tif 000003
【図２】
2020137613.tif 000004
【図３】
2020137613.tif 000005
【図４】
2020137613.tif 000006
【図５】
2020137613.tif 000007
【図６】
2020137613.tif 000008
【図７】
2020137613.tif 000009
【図８】
2020137613.tif 000010
【図９】
2020137613.tif 000011
【図１０】
2020137613.tif 000012
【図１１】
2020137613.tif 000013
【図１２】
2020137613.tif 000014
【図１３】
2020137613.tif 000015
【図１４】
2020137613.tif 000016
【図１５】
2020137613.tif 000017
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
底面が開放された箱状ブロック本体と、平板状ジョイント部材と、箱状ジョイント部材とをそれぞれ複数備え、
前記箱状ブロック本体の上面に載置される平板状ジョイント部材と、前記箱状ブロック本体に収容される箱状ジョイント部材とが、前記箱状ブロック本体に形成された挿通孔を介して、棒状接続部材により接続されることにより一体化されてブロックとなるブロック部材セットであって、
前記平板状ジョイント部材の少なくとも１つが、その上面に凸部を有する平板状ジョイント凸部材であり、
前記箱状ジョイント部材の少なくとも１つが、底面が開放され、その内部に前記平板状ジョイント凸部材の凸部と嵌合する凹部を有する箱状ジョイント凹部材である、
ことを特徴とするブロック部材セット。
【請求項２】
棒状接続部材が、平板状ジョイント部材の下面に取り付けられており、該棒状接続部材が、箱状ジョイント部材の嵌通孔に嵌通されて固定されることで一体化されたブロックとなることを特徴とする請求項１記載のブロック部材セット。
【請求項３】
棒状接続部材が、平板状ジョイント部材の下面に２つ設けられていることを特徴とする請求項２記載のブロック部材セット。
【請求項４】
棒状接続部材が、平板状ジョイント部材の下面の隅に１つ設けられていることを特徴とする請求項２記載のブロック部材セット。
【請求項５】
箱状ブロック本体の挿通孔及び箱状ジョイント部材の嵌通孔が、箱状ブロック本体及び箱状ジョイント部材の上板の隅にそれぞれ２つ以上形成されていることを特徴とする請求項４記載のブロック部材セット。
【請求項６】
平板状ジョイント部材の少なくとも１つが、その上面が平らな平板状ジョイント平面部材であることを特徴とする請求項１〜５のいずれか記載のブロック部材セット。
【請求項７】
箱状ジョイント部材の少なくとも１つが、その下面が平らな箱状ジョイント平面部材であることを特徴とする請求項１〜６のいずれか記載のブロック部材セット。
【請求項８】
箱状ブロック本体の上面に、平板状ジョイント部材の平板部を収容する収容凹部が形成されていることを特徴とする請求項１〜７のいずれか記載のブロック部材セット。
【請求項９】
箱状ブロック本体及び箱状ジョイント部材は、当該ブロックを他のブロックの上部に積み重ねて組み合わせる際、他のブロックの上面の平板状ジョイント部材をその内部に収容できる形状であることを特徴とする請求項１〜８のいずれか記載のブロック部材セット。
【請求項１０】
箱状ブロック本体が、木材からなることを特徴とする請求項１〜９のいずれか記載のブロック部材セット。
【請求項１１】
平板状ジョイント部材及び箱状ジョイント部材が、合成樹脂からなることを特徴とする請求項１〜１０のいずれか記載のブロック部材セット。
【請求項１２】
底面が開放された箱状ブロック本体と、平板状ジョイント部材と、箱状ジョイント部材とを備え、
前記箱状ブロック本体の上面に載置される平板状ジョイント部材と、前記箱状ブロック本体に収容される箱状ジョイント部材とが、前記箱状ブロック本体に形成された挿通孔を介して、棒状接続部材により接続されて一体化されたブロック。